(57)【要約】【課題】サーバ用ネットワークのアドレス数の制限を受けずに、監視端末の接続台数の制限を広げることができる遠隔監視システムを得ることである。【解決手段】複数の監視端末用ネットワーク４には複数の監視端末５が接続され、サーバ用ネットワーク２には遠隔監視サーバ１が接続される。そして、複数の伝送プロキシ装置３は、複数の監視端末用ネットワーク４のそれぞれに接続され、サーバ用ネットワーク２を介して遠隔監視サーバ１と、自己のＩＰアドレス及び自己に接続される監視端末用ネットワーク４の監視端末５のＩＰアドレスに基づいて、遠隔監視サーバ１と監視端末５との間の通信を制御する。これにより、サーバ用ネットワーク２のアドレス数の制限を受けずに監視端末５の台数を設置することが可能となる。【選択図】  図１
2008131074.tif 000002
【特許請求の範囲】
【請求項１】
遠隔監視サーバと監視端末とをサーバ用ネットワークを介して接続し、前記遠隔監視サーバから前記監視端末に情報を送信するとともに前記監視端末から前記遠隔監視サーバに情報を送信して前記遠隔監視サーバで前記監視端末を監視制御する遠隔監視システムにおいて、複数の監視端末が接続される複数の監視端末用ネットワークと、複数の監視端末用ネットワークのそれぞれに接続され前記サーバ用ネットワークを介して前記遠隔監視サーバと自己のＩＰアドレス及び自己に接続される監視端末用ネットワークの監視端末のＩＰアドレスに基づいて前記遠隔監視サーバと前記監視端末との間の通信を制御する複数の伝送プロキシ装置とを備えたことを特徴とする遠隔監視システム。
【請求項２】
前記伝送プロキシ装置は、前記遠隔監視サーバの伝送プロトコルと異なる伝送プロトコルを前記遠隔監視サーバの伝送プロトコルに変換するプロトコル変換手段を有し、遠隔監視サーバの伝送プロトコルと異なる伝送プロトコルの監視端末のシステムへの追加を可能としたことを特徴とする請求項１記載の遠隔監視システム。
【請求項３】
前記伝送プロキシ装置は、前記監視端末からの監視情報を蓄積する監視情報蓄積部を有し、前記遠隔監視サーバに送信前の前記監視端末の監視情報を前記監視情報蓄積部に蓄積することを特徴とする請求項１または２に記載の遠隔監視システム。
【請求項４】
前記伝送プロキシ装置は、前記監視情報蓄積部に蓄積した監視情報を閲覧可能な蓄積情報表示手段を有し、前記監視端末からの監視情報の確認を可能としたことを特徴とする請求項３に記載の遠隔監視システム。
【請求項５】
前記伝送プロキシ装置は、前記監視情報蓄積部に蓄積された前記監視端末からの監視情報に優先度を付ける優先制御手段を有し、遠隔監視サーバへの監視情報の通知順を決定することを特徴とする請求項３または４に記載の遠隔監視システム。
【請求項６】
前記遠隔監視サーバは、前記監視端末から前記伝送プロキシ装置への通信を遮断するかどうかを指示するフィルタ情報を前記伝送プロキシ装置に送信するフィルタ制御手段を有し、前記伝送プロキシ装置は前記フィルタ情報に基づいて前記遠隔監視サーバへの通信データを遮断するかどうかを決定するフィルタリング手段を有したことを特徴とする請求項１乃至５のいずれか１項に記載の遠隔監視システム。
【発明の詳細な説明】
【技術分野】
【０００１】
本発明は、通信ネットワークを介して遠隔に設置された監視端末と情報の送受信を行い監視端末を監視制御する遠隔監視システムに関する。
【背景技術】
【０００２】
監視端末と遠隔監視サーバとを接続する通信ネットワークの伝送プロトコルには、通常、ＴＣＰ／ＩＰが使用されている。そして、監視端末と遠隔監視サーバとで相互通信を可能とするために、監視端末に一意のＩＰアドレスを付加している。遠隔監視システムとして、多数の被監視箇所を効率よく監視することができ、被監視箇所の変更・増加等に容易に対応できるようにしたものがある（例えば、特許文献１参照）。
【特許文献１】特開２００４−１９９６１７号公報
【発明の開示】
【発明が解決しようとする課題】
【０００３】
しかし、遠隔監視サーバから特定の監視端末へ通信を行うためには、監視端末に対して遠隔監視サーバからみて一意のアドレスを割り当てる必要があるので、遠隔監視サーバが属するサーバ用ネットワークのアドレスの数に制限がある場合は、監視端末の台数をその制限を越えて設置することができない。
【０００４】
また、異なる伝送プロトコルを有する監視端末を遠隔監視システムに追加する場合には、稼動中の遠隔監視サーバを停止して遠隔監視サーバに変更を加えて対応する必要がある。そのため、遠隔監視サーバが停止した間は一時的に監視ができない状態が発生する。
【０００５】
遠隔監視サーバに障害が発生した場合、監視端末は遠隔監視サーバに転送すべき情報を蓄積するようにしているが、監視端末が蓄積できる量は少ないため、遠隔監視サーバの障害回復が遅れた場合には、監視端末内に蓄積してある古い監視情報が削除されるので、監視情報のすべてを取り込むことができず一部が欠落してしまう。また、遠隔監視サーバが障害から回復した場合に、監視端末が一斉に蓄積していた監視情報を遠隔監視サーバへ送信することになるため通信回線が混雑する。
【０００６】
監視員の対話手段の中枢となる遠隔監視サーバの障害発生時に監視端末からの監視情報を取得して蓄積しても、その確認が困難となることがある。
【０００７】
さらに、監視端末の数の増加に伴い、遠隔監視サーバ間のサーバ用ネットワーク負荷の増加が予想され、通知される監視情報に遅れがでる可能性がある。
【０００８】
監視端末の保守（点検・修理、改造）や故障が多数存在し、本来不要な警報情報を遠隔監視サーバへ通信する状況にある場合、遠隔監視サーバやサーバ用ネットワークに不要な通信データが搬送されることがある。
【０００９】
本発明の目的は、サーバ用ネットワークのアドレス数の制限を受けずに、監視端末の接続台数の制限を広げることができる遠隔監視システムを得ることである。
【課題を解決するための手段】
【００１０】
本発明の遠隔監視システムは、遠隔監視サーバと監視端末とをサーバ用ネットワークを介して接続し、前記遠隔監視サーバから前記監視端末に情報を送信するとともに前記監視端末から前記遠隔監視サーバに情報を送信して前記遠隔監視サーバで前記監視端末を監視制御する遠隔監視システムにおいて、複数の監視端末が接続される複数の監視端末用ネットワークと、複数の監視端末用ネットワークのそれぞれに接続され前記サーバ用ネットワークを介して前記遠隔監視サーバと自己のＩＰアドレス及び自己に接続される監視端末用ネットワークの監視端末のＩＰアドレスに基づいて前記遠隔監視サーバと前記監視端末との間の通信を制御する複数の伝送プロキシ装置とを備えたことを特徴とする。
【発明の効果】
【００１１】
本発明によれば、サーバ用ネットワークのアドレス数の制限を受けずに、監視端末の接続台数の制限を広げることができる遠隔監視システムを得ることができる。
【発明を実施するための最良の形態】
【００１２】
（第１の実施の形態）
図１は本発明の第１の実施の形態に係わる遠隔監視システムのブロック構成図である。図１において、遠隔監視サーバ１はサーバ用ネットワーク２に接続され、サーバ用ネットワーク２には複数の伝送プロキシ装置３Ａ、３Ｂが接続されている。図１では２台の伝送プロキシ装置３Ａ、３Ｂが接続された場合を示している。また、各々の伝送プロキシ装置３Ａ、３Ｂにはそれぞれ監視用ネットワーク４Ａ、４Ｂを介して複数の端末装置５Ａ１〜５Ａｎ、５Ｂ１〜５Ｂｍが接続されている。
【００１３】
そして、遠隔監視サーバ１からサーバ用ネットワーク２、伝送プロキシ装置３Ａ、３Ｂ及び監視端末用ネットワーク４を介して監視端末５Ａ１〜５Ａｎ、５Ｂ１〜５Ｂｍに情報を送信するとともに、監視端末５Ａ１〜５Ａｎ、５Ｂ１〜５Ｂｍから監視端末用ネットワーク４Ａ、４Ｂ伝送プロキシ装置３Ａ、３Ｂ及びサーバ用ネットワーク２を介して遠隔監視サーバ１に情報を送信して、遠隔監視サーバ１で監視端末５Ａ１〜５Ａｎ、５Ｂ１〜５Ｂｍを監視制御する。その際、伝送プロキシ装置３Ａ、３Ｂは、遠隔監視サーバ１と自己のＩＰアドレス及び自己に接続される監視端末用ネットワーク４Ａ、４Ｂの監視端末のＩＰアドレスに基づいて、遠隔監視サーバ１と監視端末５Ａ１〜５Ａｎ、５Ｂ１〜５Ｂｍとの間の通信を制御する。
【００１４】
遠隔監視サーバ１は、監視端末５Ａ１〜５Ａｎ、５Ｂ１〜５Ｂｍからの情報処理、監視端末５Ａ１〜５Ａｎ、５Ｂ１〜５Ｂｍへの命令等の遠隔監視のメイン処理を行う監視制御手段１０１と、伝送プロキシ装置３Ａ、３Ｂとの通信を行う伝送プロキシ装置伝送手段１０２とを有し、また、少なくとも監視端末５Ａ１〜５Ａｎ、５Ｂ１〜５Ｂｍが属するネットワーク識別情報と監視端末５Ａ１〜５Ａｎ、５Ｂ１〜５ＢｍのＩＰアドレスを格納する端末情報保存部１０３と、少なくともネットワーク識別情報とそのネットワークに対応する対応伝送プロキシ装置ＩＰアドレスを格納する伝送プロキシ装置情報保存部１０４とを備えている。
【００１５】
図２は端末情報保存部１０３に保存される端末情報ｄ１の説明図である。図２に示すように、端末情報保存部１０３には、監視端末５Ａ１〜５Ａｎ、５Ｂ１〜５Ｂｍが属するネットワーク識別情報Ａ、Ｂと監視端末５Ａ１〜５Ａｎ、５Ｂ１〜５ＢｍのＩＰアドレスからなる端末情報ｄ１が保存される。また、図３は伝送プロキシ装置情報保存部１０４に保存される伝送プロキシ装置情報ｄ２の説明図である。図３に示すように、伝送プロキシ装置情報保存部１０４にはネットワーク識別情報Ａ、Ｂとそのネットワークに対応する対応伝送プロキシ装置ＩＰアドレスとが保存される。
【００１６】
次に、伝送プロキシ装置３Ａ、３Ｂは、遠隔監視サーバ１へデータを送信するサーバ送信手段３０１と、遠隔監視サーバ１へ送信するデータに監視端末用ネットワーク４Ａ、４Ｂの識別情報を付加するネットワーク識別情報付加手段３０２と、遠隔監視サーバ１へ送信するデータに監視端末５Ａ１〜５Ａｎ、５Ｂ１〜５ＢｍのＩＰアドレスを付加する端末ＩＰアドレス付加手段３０３と、監視端末５Ａ１〜５Ａｎ、５Ｂ１〜５Ｂｍからデータを受信する監視端末受信手段３０４と、遠隔監視サーバ１からデータを受信するサーバ受信手段３０５と、遠隔監視サーバ１から受信したデータから監視端末５Ａ１〜５Ａｎ、５Ｂ１〜５ＢｍのＩＰアドレスを取得する端末ＩＰアドレス解析手段３０６と、端末ＩＰアドレス解析手段３０６にて取得したＩＰアドレスの監視端末５Ａ１〜５Ａｎ、５Ｂ１〜５Ｂｍへデータを送信する監視端末送信手段３０７とを備えている。
【００１７】
遠隔監視サーバ１の監視制御手段１０１から監視端末５Ａ１〜５Ａｎ、５Ｂ１〜５Ｂｍへ情報を送信する際には、伝送プロキシ装置伝送手段１０２に送信データと監視端末５Ａ１〜５Ａｎ、５Ｂ１〜５ＢｍのＩＤを渡し、伝送プロキシ装置伝送手段１０２では監視端末のＩＤを元に端末情報保存部１０３からはネットワーク識別情報と監視端末５Ａ１〜５Ａｎ、５Ｂ１〜５ＢｍのＩＰアドレス、伝送プロキシ装置情報保存部１０４からは対応伝送プロキシ装置ＩＰアドレスを取得し、送信データへ監視端末５Ａ１〜５Ａｎ、５Ｂ１〜５ＢｍのＩＰアドレスを付加した後に対応伝送プロキシ装置ＩＰアドレスのサーバ受信手段３０５に対し、サーバ用ネットワーク２を介してそのデータを送信する。サーバ受信手段３０５は、受信したデータを端末ＩＰアドレス解析手段３０６へ渡し、端末ＩＰアドレス解析手段３０６で端末ＩＰアドレスを取得した後、監視端末送信手段３０７にて監視端末用ネットワーク４Ａ、４Ｂを介して監視端末５Ａ１〜５Ａｎ、５Ｂ１〜５Ｂｍへデータを送信する。
【００１８】
一方、監視端末５Ａ１〜５Ａｎ、５Ｂ１〜５Ｂｍから遠隔監視サーバ１の監視制御手段１０１へ情報を送信する際には、監視端末５Ａ１〜５Ａｎ、５Ｂ１〜５Ｂｍは伝送プロキシ装置３Ａ、３Ｂの監視端末受信手段３０４にデータを送信し、端末ＩＰアドレス付加手段３０３では監視端末５Ａ１〜５Ａｎ、５Ｂ１〜５ＢｍのＩＰアドレス、ネットワーク識別情報付加手段３０２では監視端末５Ａ１〜５Ａｎ、５Ｂ１〜５Ｂｍのネットワーク識別情報をそのデータに付加した後に、サーバ送信手段３０１にてそのデータを遠隔監視サーバ１の伝送プロキシ装置伝送手段１０２へ送信する。伝送プロキシ装置伝送手段１０２では、受信したデータからネットワーク識別情報、監視端末５Ａ１〜５Ａｎ、５Ｂ１〜５ＢｍのＩＰアドレスを取得し、端末情報保存部１０３の端末情報ｄ１、伝送プロキシ装置情報保存部１０４の伝送プロキシ装置情報ｄ２を元に監視端末５Ａ１〜５Ａｎ、５Ｂ１〜５ＢｍのＩＤを判別した後に、監視制御手段１０１に情報と監視端末５Ａ１〜５Ａｎ、５Ｂ１〜５ＢｍのＩＤを受け渡す。
【００１９】
第１の実施の形態によれば、伝送プロキシ装置３を設けるとともに、端末情報保存部１０３及び伝送プロキシ装置情報保存部１０４を設け、遠隔監視サーバ１と監視端末５Ａ１〜５Ａｎ、５Ｂ１〜５Ｂｍとの間の通信を伝送プロキシ装置３Ａ、３Ｂを中継して行うことで、サーバ用ネットワーク２のアドレス数の制限を受けずに監視端末５Ａ１〜５Ａｎ、５Ｂ１〜５Ｂｍの台数を設置することが可能となる。
【００２０】
（第２の実施の形態）
図４は本発明の第２の実施の形態に係わる遠隔監視システムのブロック構成図である。この第２の実施の形態は、図１に示した第１の実施の形態に対し、伝送プロキシ装置３Ａ、３Ｂに、遠隔監視サーバ１の伝送プロトコルと異なる伝送プロトコルを遠隔監視サーバ１の伝送プロトコルに変換するプロトコル変換手段３０８を追加して設け、遠隔監視サーバ１の伝送プロトコルと異なる伝送プロトコルの監視端末５Ａ１’のシステムへの追加を可能としたものである。図１と同一要素には同一符号を付し重複する説明は省略する。
【００２１】
図４において、伝送プロキシ装置３Ａ、３Ｂには、遠隔監視サーバ１の伝送プロトコルと異なる伝送プロトコルである監視端末５から受信した監視情報を遠隔監視サーバ１に送信可能な形式に変換するプロトコル変換手段３０８が設けられている。
【００２２】
いま、遠隔監視サーバ１の伝送プロトコルと異なる伝送プロトコルである監視端末５は、監視端末用ネットワーク４Ａに接続される監視端末５Ａ１’であるとする。監視端末５Ａ１’からの監視情報は、監視端末ネットワーク４Ａを介して、伝送プロキシ装置３Ａのプロトコル変換手段３０８でプロトコル変換を行い監視端末受信手段３０４へ送信する。伝送プロキシ装置３Ａの監視端末受信手段３０４で受信した監視情報は、端末ＩＰアドレス付加手段３０３、ネットワーク識別情報付加手段３０２、サーバ送信手段３０１を経由して、遠隔監視サーバ１へ送信する。
【００２３】
すなわち、監視端末５Ａ１〜５Ａｎ、５Ｂ１〜５Ｂｍとは異なる伝送プロトコルを使用する監視端末５Ａ１’からの監視情報は、監視端末ネットワーク４Ａを介して、伝送プロキシ装置３Ａのプロトコル変換手段３０８でプロトコル変換を行い、伝送プロキシ装置３Ａと同じデータ形式に変化して監視端末受信手段３０４へ送信する。このように、プロトコル変換手段３０８では、異なる伝送プロトコルを有する監視端末５Ａ１’から受信した監視情報を既存の遠隔監視サーバ１で処理可能な監視情報の形式に変換する。
【００２４】
したがって、新たに伝送プロキシ装置３Ａを追加することで、既存の遠隔監視サーバ１及び伝送プロキシ装置３Ｂを停止することなく、異なる伝送プロトコルを有する監視端末５Ａ１’を遠隔監視システムに追加できる。また、異なるプロトコルを有する監視端末５Ａ１’の追加により、異常が発生した場合にシステムからの切り離しが容易に行える。
【００２５】
第２の実施の形態によれば、プロトコル変換手段３０８を設けるので、遠隔監視サーバ１に変更を加えることなく、異なる伝送プロトコルの監視端末５Ａ１’を追加することができる。また、伝送プロキシ装置３Ａで異なる伝送プロトコルを有する監視端末５Ａ１’の監視情報を扱うことで、異常発生時に遠隔監視サーバ１と伝送プロキシ装置３Ａと間の回線を切断して切り離すことにより、追加前の状態に容易に戻すことが可能になる。
【００２６】
（第３の実施の形態）
図５は本発明の第３の実施の形態に係わる遠隔監視システムのブロック構成図である。この第３の実施の形態は、図１に示した第１の実施の形態に対し、伝送プロキシ装置３Ａ、３Ｂに、監視端末５Ａ１〜５Ａｎ、５Ｂ１〜５Ｂｍからの監視情報を蓄積する監視情報蓄積部３１０を設け、警報情報蓄積手段３０９により遠隔監視サーバ１に送信前の監視端末５Ａ１〜５Ａｎ、５Ｂ１〜５Ｂｍの監視情報を監視情報蓄積部３１０に蓄積するようにしたものである。図１と同一要素には同一符号を付し重複する説明は省略する。
【００２７】
図５において、警報情報蓄積手段３０９及び警報情報蓄積部３１０が設けられている。警報情報蓄積手段３０９は、遠隔監視サーバ１に送信する前の監視情報を警報情報蓄積部３１０に蓄積している。サーバ送信手段３０１は、警報情報蓄積部３１０に蓄積されている警報情報を読み取り、遠隔監視サーバ１へ送信するとともに、遠隔監視サーバ１に送信した監視情報を警報情報蓄積部３１０から削除する。
【００２８】
このように、警報情報蓄積手段３０９及び警報情報蓄積部３１０を設けるので、遠隔監視サーバ１の障害やサーバ用ネットワーク２の障害により、遠隔監視サーバ１に監視情報を送信できない場合でも、その監視情報を伝送プロキシ装置３Ａ、３Ｂ内に蓄積することができる。このため、監視端末５Ａ１〜５Ａｎ、５Ｂ１〜５Ｂｍでの警報情報の蓄積を抑制でき、監視端末５Ａ１〜５Ａｎ、５Ｂ１〜５Ｂｍの容量不足によるデータの欠落を防止できる。また、遠隔監視サーバ１の障害やサーバ用ネットワーク２の障害の復旧時に、サーバ用ネットワーク２を使用して遠隔監視サーバ１へ通信を行うのは、伝送プロキシ装置３Ａ、３Ｂだけになり、サーバ用ネットワーク２の混雑を防止できる。
【００２９】
第３の実施の形態によれば、伝送プロキシ装置３Ａ、３Ｂに遠隔監視サーバに送信前の監視情報を蓄積する監視情報蓄積部３１０を設け、遠隔監視サーバ１の障害時でも伝送プロキシ装置３Ａ、３Ｂにて監視情報を受信し、監視端末５Ａ１〜５Ａｎ、５Ｂ１〜５Ｂｍ内に警報情報を残留させないので、監視端末５Ａ１〜５Ａｎ、５Ｂ１〜５Ｂｍ内の記憶容量のオーバフローによるデータ欠損を低減することができる。また、遠隔監視サーバ１の障害意復旧時に通信回線の混雑を低減できる。
【００３０】
（第４の実施の形態）
図６は本発明の第４の実施の形態に係わる遠隔監視システムのブロック構成図である。この第４の実施の形態は、図５に示した第３の実施の形態に対し、伝送プロキシ装置３Ａ、３Ｂに、監視情報蓄積部３１０に蓄積した監視情報を閲覧可能な蓄積情報表示手段３０８を設け、監視端末５Ａ１〜５Ａｎ、５Ｂ１〜５Ｂｍからの監視情報の確認を可能としたものである。図５と同一要素には同一符号を付し重複する説明は省略する。
【００３１】
図６に示すように、伝送プロキシ装置には蓄積情報表示手段３０８が設けられ、伝送プロキシ装置コンソール６に接続される。蓄積情報表示手段３０８は伝送プロキシ装置コンソール６からの指令により、伝送プロキシ装置３１０の警報情報蓄積部３１０に蓄積した監視情報を伝送プロキシ装置コンソール６に出力する。これにより、警報情報蓄積部３１０に蓄積した監視情報を閲覧する。したがって、遠隔監視サーバ１に障害が発生した場合でも伝送プロキシ装置３Ａ、３Ｂにて監視端末５Ａ１〜５Ａｎ、５Ｂ１〜５Ｂｍからの監視情報の確認ができる。
【００３２】
第４の実施の形態によれば、監視端末５Ａ１〜５Ａｎ、５Ｂ１〜５Ｂｍからの警報情報を蓄積した警報情報蓄積部３１０の内容は、蓄積情報表示手段３０８を介して伝送プロキシ装置コンソール６で閲覧確認できるので、サーバ用ネットワーク２あるいは遠隔監視サーバ１側に障害が発生した場合であっても監視端末５Ａ１〜５Ａｎ、５Ｂ１〜５Ｂｍから取得された監視情報を閲覧確認することが可能となる。
【００３３】
（第５の実施の形態）
図７は本発明の第５の実施の形態に係わる遠隔監視システムのブロック構成図である。この第５の実施の形態は、図６に示した第４の実施の形態に対し、伝送プロキシ装置３Ａ、３Ｂに、監視情報蓄積部３１０に蓄積された監視端末５Ａ１〜５Ａｎ、５Ｂ１〜５Ｂｍからの監視情報の優先度を優先警報情報として保存した優先警報情報保存部３１２と、優先警報情報保存部３１２に記憶保存された優先度に基づき遠隔監視サーバ１への監視情報の通知順を決定する優先制御手段３１１を追加して設けたものである。図６と同一要素には同一符号を付し重複する説明は省略する。
【００３４】
図７において、優先制御手段３１１及び優先警報情報保存部３１２が追加して設けられている。図８は優先警報情報保存部３１２に格納されている優先警報情報の一例を示す説明図である。各々の警報に対して優先度が付与されている。図８では警報Ａには優先度１が付与され、警報Ｂには優先度２が付与されている。
【００３５】
監視端末５Ａ１〜５Ａｎ、５Ｂ１〜５Ｂｍからの警報情報は警報情報蓄積部３１０に蓄積され、優先制御手段３１１は警報情報蓄積部３１０の警報情報蓄積量が大きくなった場合（例えば１秒間に１０件以上）に、優先警報情報３１２の警報種別毎の優先度に従い優先度の高いものからサーバ送信手段３０１へ通知する。これにより、優先度の高い警報情報が優先して遠隔監視サーバ１に送信される。したがって、重要度の高い警報種別ほど優先度を高く設定することで優先して遠隔監視サーバ１へ通知を行うことが可能となり、発生警報が多い場合にサーバ用ネットワーク２の負荷増大による重要警報の遅延の軽減が図れることとなる。
【００３６】
第５の実施の形態によれば、優先制御手段３１１により優先度の高い重要な警報情報を優先して送信するので、重要な警報情報の送信の遅延を軽減させることができ、監視端末５Ａ１〜５Ａｎ、５Ｂ１〜５Ｂｍの増加による監視情報量の増大時でも重要な監視情報の通知遅延の軽減を図ることができる。
【００３７】
（第６の実施の形態）
図９は本発明の第６の実施の形態に係わる遠隔監視システムのブロック構成図である。この第６の実施の形態は、図７に示した第５の実施の形態に対し、遠隔監視サーバ１に、監視端末５Ａ１〜５Ａｎ、５Ｂ１〜５Ｂｍから伝送プロキシ装置３Ａ、３Ｂへの通信を遮断するかどうかを指示するフィルタ情報を伝送プロキシ装置３Ａ、３Ｂに送信するフィルタ制御手段１１０を設け、また、伝送プロキシ装置３Ａ、３Ｂに、遠隔監視サーバ１からのフィルタ情報を保存するフィルタ情報保存部３１４と、フィルタ情報保存部３１４に保存されたフィルタ情報に基づいて遠隔監視サーバ１への通信データを遮断するかどうかを決定するフィルタリング手段３１３を設けたものである。
【００３８】
図９において、遠隔監視サーバ１にはフィルタ制御手段１１０が設けられ、伝送プロキシ装置３Ａ、３Ｂには、フィルタリング手段３１３及びフィルタ情報保存部３１４が設けられている。
【００３９】
遠隔監視サーバ１のフィルタ制御手段１１０は、伝送プロキシ装置３Ａ、３Ｂに対して、伝送プロキシ装置伝送手段１０２を経由してフィルタ対象を指示する。伝送プロキシ装置３Ａ、３Ｂのサーバ受信手段３０５は、遠隔監視サーバ１からのフィルタ対象指示内容をフィルタ情報としてフィルタ情報保存部３１４に保存する。図１０はフィルタ情報保存部３１４に保存されたフィルタ情報の一例の説明図である。フィルタ情報は監視端末用ネットワーク４Ａ、４Ｂ毎に、フィルタ情報として「有効」または「無効」にいずれかが保存されている。フィルタリング手段３１３は、フィルタ情報保存部３１４に保存されたフィルタ情報によって監視端末５Ａ１〜５Ａｎ、５Ｂ１〜５Ｂｍから遠隔監視サーバ１への通信を遮断するかどうかを制御する。
【００４０】
このように、伝送プロキシ装置３Ａ、３Ｂにフィルタリング手段３１３を設け、フィルタ情報の状態が「有効」であった場合は、監視端末５Ａ１〜５Ａｎ、５Ｂ１〜５Ｂｍから受信した監視情報を遠隔監視サーバ１へ送信しないようにし、フィルタ情報が「無効」であった場合は、監視端末５Ａ１〜５Ａｎ、５Ｂ１〜５Ｂｍから受信した監視情報を既存の遠隔監視サーバ１へ送信する。また、伝送プロキシ装置３Ａ、３Ｂのフィルタリング情報は、遠隔監視サーバ１のフィルタ制御手段３１３が「有効」もしくは「無効」の情報を、伝送プロキシ装置伝送手段１０２及び伝送プロキシ装置３Ａ、３Ｂのサーバ受信手段３０５を経由して、フィルタ情報保存部３１４へ保存することで、伝送プロキシ装置３Ａ、３Ｂのフィルタリング手段３１３を遠隔監視サーバ１から制御できる。
【００４１】
第６の実施の形態によれば、フィルタリング手段３１３を設けることで、サーバ用ネットワーク２、監視端末用ネットワーク４に変更を加えることなく、不要なデータを送信する監視端末５Ａ１〜５Ａｎ、５Ｂ１〜５Ｂｍからの通信を、監視端末用ネットワーク４Ａ、４Ｂの単位で遮断することができる。また、不要なデータを送信する監視端末５Ａ１〜５Ａｎ、５Ｂ１〜５Ｂｍが不在となった後で、遠隔監視サーバ１のフィルタ制御手段１１０により遮断する前の状態に容易に戻すことが可能になる。
【図面の簡単な説明】
【００４２】
【図１】本発明の第１の実施の形態に係わる遠隔監視システムのブロック構成図。
【図２】本発明の第１の実施の形態における端末情報保存部に保存される端末情報の説明図。
【図３】本発明の第１の実施の形態における伝送プロキシ装置情報保存部に保存される端末情報の説明図。
【図４】本発明の第２の実施の形態に係わる遠隔監視システムのブロック構成図。
【図５】本発明の第３の実施の形態に係わる遠隔監視システムのブロック構成図。
【図６】本発明の第４の実施の形態に係わる遠隔監視システムのブロック構成図。
【図７】本発明の第５の実施の形態に係わる遠隔監視システムのブロック構成図。
【図８】本発明の第５の実施の形態における優先警報情報保存部に格納されている優先警報情報の一例を示す説明図。
【図９】本発明の第６の実施の形態に係わる遠隔監視システムのブロック構成図。
【図１０】本発明の第６の実施の形態におけるフィルタ情報保存部に保存されたフィルタ情報の一例の説明図。
【符号の説明】
【００４３】
１…遠隔監視サーバ、１０１…遠隔監視サーバの監視制御手段、１０２…遠隔監視サーバの伝送プロキシ装置伝送手段、１０３…端末情報保存部、１０４…伝送プロキシ装置情報保存部、１１０…遠隔監視サーバのフィルタ制御手段、２…サーバ用ネットワーク、３…伝送プロキシ装置、３０１…サーバ送信手段、３０２…ネットワーク識別情報付加手段、３０３…端末ＩＰアドレス付加手段、３０４…監視端末受信手段、３０５…サーバ受信手段、３０６…端末ＩＰアドレス解析手段、３０７…監視端末送信手段、３０８…蓄積情報表示手段、３０９…警報情報蓄積手段、３１０…警報情報蓄積部、３１１…優先制御手段、３１２…優先警報情報保存部、３１３…フィルタリング手段、３１４…フィルタ情報保存部
【図１】
2008131074.tif 000003
【図２】
2008131074.tif 000004
【図３】
2008131074.tif 000005
【図４】
2008131074.tif 000006
【図５】
2008131074.tif 000007
【図６】
2008131074.tif 000008
【図７】
2008131074.tif 000009
【図８】
2008131074.tif 000010
【図９】
2008131074.tif 000011
【図１０】
2008131074.tif 000012